(57)【要約】  １つまたはそれ以上の合成画像を生成するように動作する改竄表示セキュリティデバイス、基礎をなす母材からこのデバイスを分離しようとすれば（たとえば無理やり除去しようとすれば）、セキュリティデバイスの１つまたはそれ以上の層が分離または離層し、デバイスは、部分的にまたは全体的に動作不可能になる。本発明のデバイスは、とりわけ、通貨または紙幣、社債券、小切手、トラベラーズチェック、ＩＤカード、宝くじ券、パスポート、郵便切手、および、株券などの保管文書、ならびに、文房具品目およびラベルなどの非保管文書との使用に向けて企図されている。本発明のデバイスは、消費者物品ならびに消費者物品と共に使用される袋または包装との使用に向けても企図されている。
2013501661.tif 000002
【特許請求の範囲】
【請求項１】
母材に接着または接合される、１つまたはそれ以上の合成画像を生成するように動作する改竄表示セキュリティデバイスであって、
前記デバイスは、前記母材から前記デバイスを分離させようとしたとき分離するかまたは離層し、前記デバイスは、部分的にまたは全体的に動作不可能になる、改竄表示セキュリティデバイス。
【請求項２】
前記母材から前記デバイスを分離させようとしたとき、前記デバイスは、もはや、１つまたはそれ以上の合成画像を生成するように動作しない、請求項１に記載の改竄表示セキュリティデバイス。
【請求項３】
前記母材から前記デバイスを分離させようとしたとき、前記デバイスは、低減された数の合成画像を生成する、請求項１に記載の改竄表示セキュリティデバイス。
【請求項４】
集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記集光素子は、少なくとも前記画像要素の一部の１つまたはそれ以上の合成画像を形成し、前記セキュリティデバイスは、前記母材から前記デバイスを分離させようとしたとき、前記セキュリティデバイス内のターゲット層内のおよび／またはターゲット境界面にて分離するかまたは離層する、請求項１に記載の改竄表示セキュリティデバイス。
【請求項５】
（ａ）前記セキュリティデバイス内の前記ターゲット層の前記皮膜引張強さは、前記セキュリティデバイス内の前記他の層の前記皮膜引張強さを下回り、および／または、（ｂ）前記セキュリティデバイス内の前記ターゲット境界面の前記接合強度は、前記セキュリティデバイス内の前記他の層の間および前記セキュリティデバイスと前記母材の間の境界面の前記接合強度を下回る、請求項４に記載の改竄表示セキュリティデバイス。
【請求項６】
（ａ）集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とを備える光学フィルム材料と、随意的に、接合弱化層、プライマ層または接着剤層およびその組み合わせの前記群から選択された１つまたはそれ以上の層とを備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、
（ｂ）随意的に、印刷層、部分的にまたは全体的に金属被覆された層、プライマ層または接着剤層、シール層または被覆層、強化層（ｓｔｉｆｆｅｎｉｎｇ  ｌａｙｅｒｓ）およびその組み合わせの前記群から選択された１つまたはそれ以上の層とを備える、請求項１に記載の改竄表示セキュリティデバイス。
【請求項７】
集光素子を含む前記少なくとも１つの層は、部分または完全埋設層である、請求項６に記載の改竄表示セキュリティデバイス。
【請求項８】
前記光学フィルム材料の前記集光素子は、焦点距離を有する屈折集光素子であり、前記光学フィルム材料は、外面から屈折境界面まで第１および第２の屈折率の間で変更される屈折率を有し、前記第１の屈折率は、前記第２の屈折率と実質的にまたは測定可能に異なる、請求項７に記載の改竄表示セキュリティデバイス。
【請求項９】
前記第１の屈折率と前記第２の屈折率間の前記差異は、前記集光素子の前記焦点距離において少なくとも約０．１ミクロンの変化を引き起こす、請求項８に記載の改竄表示セキュリティデバイス。
【請求項１０】
前記少なくとも１つの集光素子層は、屈折率を有する第１の材料から形成され、前記光学フィルム材料は、前記集光素子を隙間の空間を満たしておよび／または覆う異なる屈折率を有する第２の材料を更に備え、異なった境界面は、前記第１および第２の材料との間に形成される、請求項７に記載の改竄表示セキュリティデバイス。
【請求項１１】
前記第２の材料は、全体的に前記少なくとも１つの集光素子層を埋設する、請求項１０に記載の改竄表示セキュリティデバイス。
【請求項１２】
前記第２の材料は、前記少なくとも１つの画像要素層の外部境界または層を形成し、その結果、全体的にこの層も埋設される、請求項１１に記載の改竄表示セキュリティデバイス。
【請求項１３】
前記少なくとも１つの集光素子層は、屈折率を有する第１の材料および異なる屈折率を有する第２の材料から形成され、前記第２の材料は、前記第１の材料に拡散し、その結果、前記第１の材料との傾斜境界面が形成される、請求項７に記載の改竄表示セキュリティデバイス。
【請求項１４】
前記集光素子は、屈折集光素子、反射集光素子、複合型屈折／反射集光素子およびその組み合わせの前記群から選択される、請求項６に記載の改竄表示セキュリティデバイス。
【請求項１５】
前記集光素子は、屈折集光素子である、請求項１４に記載の改竄表示セキュリティデバイス。
【請求項１６】
前記集光素子は、反射集光素子または集光反射体である、請求項１４に記載の改竄表示セキュリティデバイス。
【請求項１７】
前記集光反射体は、金属被覆集光反射体である、請求項１６に記載の改竄表示セキュリティデバイス。
【請求項１８】
前記集光素子は、複合型屈折／反射集光素子である、請求項１４に記載の改竄表示セキュリティデバイス。
【請求項１９】
前記画像要素は、高分子基板内の空隙または凹部の前記形である微細構造であり、前記空隙または凹部は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填される、請求項６に記載の改竄表示セキュリティデバイス。
【請求項２０】
前記画像要素は、隆起した区域または異形柱（ｓｈａｐｅｄ  ｐｏｓｔｓ）の形である微細構造であり、前記隆起した区域または異形柱（ｓｈａｐｅｄ  ｐｏｓｔｓ）を取り囲む領域は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填される、請求項６に記載の改竄表示セキュリティデバイス。
【請求項２１】
画像要素を含む前記少なくとも１つの層は、応力誘起成分を備える、請求項６に記載の改竄表示セキュリティデバイス。
【請求項２２】
前記光学フィルム材料は、２つまたはそれ以上の合成画像を形成する２つまたはそれ以上の集光素子層を備え、前記母材から前記デバイスを分離させようとしたとき、前記デバイスは、低減された数の合成画像を生成する、請求項６に記載の改竄表示セキュリティデバイス。
【請求項２３】
前記光学フィルム材料は、２つまたはそれ以上の画像要素層を備え、前記集光元素は、２つまたはそれ以上の合成画像を形成し、前記母材から前記デバイスを分離させようとしたとき、前記デバイスは、低減された数の合成画像を生成する、請求項６に記載の改竄表示セキュリティデバイス。
【請求項２４】
前記光学フィルム材料は、前記少なくとも１つの集光素子層と前記少なくとも１つの画像要素層の間に位置して接着された１つの光学スペーサまたはスペーサ層を備える、請求項６に記載の改竄表示セキュリティデバイス。
【請求項２５】
前記母材から前記デバイスを分離さようとしたとき、前記セキュリティデバイスの分離または離層は、前記光学フィルム材料の前記少なくとも１つの集光素子層と前記光学スペーサまたはスペーサ層の間で発生する、請求項２４に記載の改竄表示セキュリティデバイス。
【請求項２６】
前記母材から前記デバイスを分離させようとしたとき、前記セキュリティデバイスの分離または離層は、前記光学フィルム材料の前記光学スペーサまたはスペーサ層と前記少なくとも１つの画像要素層の間で発生する、請求項２４に記載の改竄表示セキュリティデバイス。
【請求項２７】
前記光学フィルム材料は、プライマ層および接着剤層により共に接着される２つの光学スペーサまたはスペーサ層を備え、前記２つの光学スペーサまたはスペーサ層は、前記少なくとも１つの集光素子層と前記少なくとも１つの画像要素層の間に位置して接着される、請求項６に記載の改竄表示セキュリティデバイス。
【請求項２８】
前記母材から前記デバイスを分離させようとしたとき、前記セキュリティデバイスの分離または離層は、前記光学フィルム材料の１つの光学スペーサまたはスペーサ層と前記プライマ層および接着剤層の間で発生する、請求項２７に記載の改竄表示セキュリティデバイス。
【請求項２９】
前記光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成される、請求項２４に記載の改竄表示セキュリティデバイス。
【請求項３０】
前記２つの光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成される、請求項２７に記載の改竄表示セキュリティデバイス。
【請求項３１】
前記プライマ層および接着剤層は、ホットメルト接着剤、熱活性化性接着剤、感圧型接着剤、および高分子貼合せ用フィルムの前記群から選択された１つまたはそれ以上の粘着剤を使用して形成される、請求項２７に記載の改竄表示セキュリティデバイス。
【請求項３２】
前記プライマ層および接着剤層は、硬化アクリル樹脂材料を使用して形成される、請求項３１に記載の改竄表示セキュリティデバイス。
【請求項３３】
前記プライマ層および接着剤層は、硬化エポキシ樹脂材料を使用して形成される、請求項３１に記載の改竄表示セキュリティデバイス。
【請求項３４】
前記光学フィルム材料は、前記少なくとも１つの集光素子層および前記少なくとも１つの画像要素層の間に位置してそのうちの少なくとも１つに接着された１つまたはそれ以上の接合弱化層を更に備える、請求項６に記載の改竄表示セキュリティデバイス。
【請求項３５】
前記１つまたはそれ以上の接合弱化層は、均一な接合弱化層である、請求項３４に記載の改竄表示セキュリティデバイス。
【請求項３６】
前記１つまたはそれ以上の接合弱化層は、模様接合弱化層である、請求項３４に記載の改竄表示セキュリティデバイス。
【請求項３７】
前記１つまたはそれ以上の接合弱化層は、金属層である、請求項３４に記載の改竄表示セキュリティデバイス。
【請求項３８】
前記金属層は、蒸気蒸着金属層である、請求項３７に記載の改竄表示セキュリティデバイス。
【請求項３９】
前記１つまたはそれ以上の接合弱化層は、誘電被覆である、請求項３４に記載の改竄表示セキュリティデバイス。
【請求項４０】
層内故障は、前記１つまたはそれ以上の接合弱化層内に発生するように設計される、請求項３４に記載の改竄表示セキュリティデバイス。
【請求項４１】
層間故障は、前記１つまたはそれ以上の接合弱化層と近接層の間で発生するように設計される、請求項３４に記載の改竄表示セキュリティデバイス。
【請求項４２】
前記集光素子は、反射集光素子または集光反射体であり、前記セキュリティデバイスは、前記集光反射体上に位置する反射層を更に備える、請求項６に記載の改竄表示セキュリティデバイス。
【請求項４３】
層間故障は、前記反射層と前記集光反射体の間で発生するように設計される、請求項４２に記載の改竄表示セキュリティデバイス。
【請求項４４】
１つまたはそれ以上のシール層または被覆層を更に備える請求項６に記載の改竄表示セキュリティデバイス。
【請求項４５】
前記１つまたはそれ以上のシール層または被覆層は、前記少なくとも１つの集光素子層の反対側の前記光学フィルム材料の前記少なくとも１つの画像要素層に塗布され、前記１つまたはそれ以上のシール層または被覆層は、透明、半透明、薄色、色素性、不透明、金属質、磁気性または光学的に可変である部分を少なくとも有する、請求項４４に記載の改竄表示セキュリティデバイス。
【請求項４６】
前記少なくとも１つのシール層または被覆層は、アクリル、エポキシ、ポリエステル、アクリル化ポリエステル、ポリプロピレン、ウレタン、アクリル化ウレタン、およびその組み合わせの前記群から選択された放射線硬化性樹脂を使用して調製される、請求項４５に記載の改竄表示セキュリティデバイス。
【請求項４７】
前記１つまたはそれ以上のシール層または被覆層は、応力誘起成分を備える、請求項４４に記載の改竄表示セキュリティデバイス。
【請求項４８】
１つまたはそれ以上のプライマ層または接着剤層は、前記光学フィルム材料の一部をなしておよび／または前記セキュリティデバイスの片側または両側に塗布される、請求項６に記載の改竄表示セキュリティデバイス。
【請求項４９】
前記１つまたはそれ以上のプライマ層または接着剤層は、ホットメルト接着剤、熱活性化性接着剤、感圧型接着剤、および高分子貼合せ用フィルムの前記グループから選択された材料を使用して調製される、請求項４８に記載の改竄表示セキュリティデバイス。
【請求項５０】
前記１つまたはそれ以上のプライマ層または接着剤層は、硬化アクリル樹脂材料を使用して形成される、請求項４９に記載の改竄表示セキュリティデバイス。
【請求項５１】
前記１つまたはそれ以上のプライマ層または接着剤層は、硬化エポキシ樹脂材料を使用して形成される、請求項４９に記載の改竄表示セキュリティデバイス。
【請求項５２】
前記光学フィルム材料の前記１つまたはそれ以上の画像要素層に塗布された１つまたはそれ以上の強化層（ｓｔｉｆｆｅｎｉｎｇ  ｌａｙｅｒｓ）を更に備える請求項６に記載の改竄表示セキュリティデバイス。
【請求項５３】
前記１つまたはそれ以上の強化層（ｓｔｉｆｆｅｎｉｎｇ  ｌａｙｅｒｓ）は、ポリエステルテトラアクリレート、ビスフェノールＡエポキシジアクリレート、ジプロピレングリコールジアクリレート、およびその組み合わせの前記グループから選択された多機能性アクリレート単量体またはオリゴマを使用して調製される、請求項５２に記載の改竄表示セキュリティデバイス。
【請求項５４】
層間故障は、前記光学スペーサまたはスペーサ層と前記少なくとも１つの画像要素層の間で発生するように設計される、請求項５２に記載の改竄表示セキュリティデバイス。
【請求項５５】
セキュリティストリップ、細い線、パッチ、インレーまたはオーバレイの前記形である請求項６に記載の改竄表示セキュリティデバイス。
【請求項５６】
前記母材は、通貨、紙幣、社債券、小切手、トラベラーズチェック、ＩＤカード、宝くじ券、パスポート、郵便切手、株券、文房具品目、ラベル、消費者物品、および消費者物品と共に使用される袋または包装の前記群から選択される、請求項６に記載の改竄表示セキュリティデバイス。
【請求項５７】
前記母材は、紙幣である、請求項５６に記載の改竄表示セキュリティデバイス。
【請求項５８】
前記母材は、パスポートである、請求項５６に記載の改竄表示セキュリティデバイス。
【請求項５９】
両面を有し、表面に取り付けられたか、または少なくとも部分的に埋設された請求項１に記載の少なくとも１つの改竄表示セキュリティデバイスを備えるシート材料。
【請求項６０】
両面を有し、表面に取り付けられたか、または少なくとも部分的に埋設された請求項６に記載の少なくとも１つの改竄表示セキュリティデバイスを備えるシート材料。
【請求項６１】
請求項５９に記載の前記シート材料から作製された文書。
【請求項６２】
請求項６０に記載の前記シート材料から作製された文書。
【請求項６３】
紙幣、パスポート、ＩＤカード、クレジットカード、およびラベルの前記群から選択される請求項６１に記載の文書。
【請求項６４】
紙幣を備える請求項６３に記載の文書。
【請求項６５】
パスポートを備える請求項６３に記載の文書。
【請求項６６】
分離させようとしたときに母材に接着または接合されたセキュリティデバイスに関する改竄を暴露または表示する方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、前記母材から前記セキュリティデバイスを分離させようとしたときに、前記１つまたはそれ以上の層が分離または離層し、前記セキュリティデバイスを部分的または全体的に動作不可能し、その結果、改竄が発生した表示するように印加または誘起された応力に集中する前記光学フィルム材料内の１つまたはそれ以上の層の前記能力を増大させるステップを備える、方法。
【請求項６７】
母材に接着または接合されるセキュリティデバイスに、前記母材から前記デバイスを分離させようとしたときに分離または離層させる方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、
（ａ）前記セキュリティデバイスの残りの層または境界面に対して前記セキュリティデバイスの１つまたはそれ以上の層または境界面の前記剛性、接合強度または架橋結合密度を増減するステップと、
（ｂ）応力誘起成分を前記セキュリティデバイスの１つまたはそれ以上の層に組み込むステップと、
（ｃ）前記セキュリティデバイスの２つの層間の境界面にて接合弱化層を導入するステップとの１つまたはそれ以上を備える、方法。
【請求項６８】
前記セキュリティデバイスの１つまたはそれ以上の層の前記剛性および架橋結合密度は、（ａ）製造中に放射線への前記セキュリティデバイスまたは前記セキュリティデバイスの１つまたはそれ以上の層の露光を増大させるか、または、（ｂ）前記デバイスが母材上で所定の位置になると前記セキュリティデバイスまたは放射線への前記セキュリティデバイスの１つまたはそれ以上の層の露光を増大させることにより増大する、請求項６７に記載の方法。
【請求項６９】
応力誘起成分は、前記セキュリティデバイスの前記１つまたはそれ以上の層に組み込まれ、前記応力誘起成分は、硬化すると収縮するかまたはガスを放出する成分、特定の液体またはガスに晒されたときに膨張する成分、および、温度の変化で相変化または相分離する成分の前記群から選択される、請求項６７に記載の方法。
【請求項７０】
前記応力誘起成分は、硬化すると収縮するかまたはガスを放出する成分である、請求項６９に記載の方法。
【請求項７１】
硬化すると収縮するかまたはガスを放出する前記成分は、膨張ポリウレタン発泡体である、請求項７０に記載の方法。
【請求項７２】
前記応力誘起成分は、特定の液体またはガスに晒されたときに膨張する成分である、請求項６９に記載の方法。
【請求項７３】
前記応力誘起成分は、温度の変化で相変化または相分離する成分である、請求項６９に記載の方法。
【請求項７４】
温度の変化で相変化または相分離する前記成分は、多結晶質または結晶質になるために相変化する非晶質ポリマである、請求項７３に記載の方法。
【請求項７５】
応力誘起成分は、前記少なくとも１つの画像要素層に組み込まれる、請求項６９に記載の方法。
【請求項７６】
前記セキュリティデバイスは、１つまたはそれ以上のシール層または被覆層を更に備え、応力誘起成分は、前記１つまたはそれ以上のシール層または被覆層に組み込まれる、請求項６９に記載の方法。
【発明の詳細な説明】
【技術分野】
【０００１】
関連出願
本出願は、２００３年１１月２１日出願の米国特許仮出願第６０／５２４，２８１号、２００４年１月２２日出願の米国特許仮出願第６０／５３８，３９２号、および２００４年１１月１２日出願の米国特許仮出願第６０／６２７，２３４号の優先権を主張する、２００４年１１月２２日出願の米国特許出願第１０／９９５，８５９号（現在の米国特許第７，３３３，２６８号（１））の優先権を両方が主張する、２００７年６月２９日出願の米国特許出願第１１／７７１，６２３号および２００７年１０月３１日出願の米国特許出願第１１／９３２，４６８号の一部継続出願であり、これらの特許の全ては、引用により本明細書に全体が組み入れられ、本出願は、２００９年８月１２日出願の米国特許仮出願第６１／２３３，２６４号の利益および優先権を主張するものであり、この特許は、全体が引用により本明細書に組み入れられる。
【０００２】
本発明は、一般に、１つまたはそれ以上の合成画像を生成するように動作する改竄表示セキュリティデバイスに関するものであり、基礎をなす母材からこのデバイスを分離する試みがあれば、デバイスは、完全にまたは部分的に動作不可能となる。
【背景技術】
【０００３】
合成画像を投影する微小光学フィルム材料は、一般的に、（ａ）光透過高分子基板、（ｂ）高分子基板上にまたはその中に位置する超小型画像アイコンの構成、および、（ｃ）集光素子（たとえば、マイクロレンズ）の構成を備える。画像アイコン構成および集光素子構成は、画像アイコンの構成が集光素子の構成を介して表示されるとき、１つまたはそれ以上の合成画像が投影されるように構成されている。これらの投影された画像は、いくつかの異なる光学効果を示す場合がある。このような効果を提示することができる材料構造は、Ｓｔｅｅｎｂｌｉｋ他に付与された米国特許第７，３３３，２６８号明細書、Ｓｔｅｅｎｂｌｉｋ他に付与された米国特許第７，４６８，８４２号明細書、Ｓｔｅｅｎｂｌｉｋ他に付与された米国特許第７，７３８，１７５号明細書、Ｃｏｍｍａｎｄｅｒ他の米国特許出願公開第２００９／００３４０８２号明細書、Ｋａｕｌｅ他の米国特許出願公開第２００９／０００８９２３号明細書、Ｋａｕｌｅ他の米国特許出願公開第２０１０／０１７７０９４号明細書、Ｋａｕｌｅ他の米国特許出願公開第２０１０／０１８２２２１号明細書、Ｋａｕｌｅ他の欧州特許出願第０８７８４５４８．３号明細書、および、Ｋａｕｌｅの欧州特許出願第０８７５９３４２．２号明細書において説明されている。
【０００４】
これらのフィルム材料は、紙幣、保管文書および製品の認証に向けてセキュリティデバイスとして使用される場合がある。紙幣および保管文書については、これらの材料は、一般的にストリップまたは細い線の形で使用されて紙幣または文書内の部分的に埋め込まれているか、または、その表面に塗布されている。パスポートまたは他の身分証明（ＩＤ）書類については、これらの材料は、完全な積層体として使用することができる。
【発明の概要】
【発明が解決しようとする課題】
【０００５】
このようなデバイスはこれまで使用されているが、たとえば、「剥いで壊す」改竄表示特性は有していなかった。改竄するとは、目的が偽造であれ、捏造であれ、差替えであれ、デバイスとの認可されていない干渉（すなわち、オブジェクトからデバイスを除去しようとする試み）を意味する。
【課題を解決するための手段】
【０００６】
したがって、本発明は、１つまたはそれ以上の合成画像を生成するように動作する改竄表示セキュリティデバイスを提供するものであり、デバイスは、母材（たとえば、パスポート紙）に接着または接合され、デバイスは、母材からデバイスを分離させようとしたとき分離または離層し、デバイスは完全にまたは部分的に動作不可能になる。「完全にまたは部分的に動作不可能な」という語句は、本明細書で使用するとき、本発明のデバイスは、（ａ）もはや１つまたはそれ以上の合成画像を生成することができない（完全に動作不可能な）かまたは
（ｂ）低減された数の合成画像を生成することができるのみ（部分的に動作可能な）であるということを意味することが意図されている。
【０００７】
本発明の改竄表示セキュリティデバイスは、オブジェクトからデバイスの除去が試みられたとき不可逆的に変えられる。デバイスは、したがって、置き換えの検出がなされないと、除去して、偽造オブジェクトなど、別のオブジェクトに接着し直すことができない。
【０００８】
本発明のデバイスは、接着剤の使用の有無を問わず基礎をなす母材に接着または接合してもよい。一例として、接合は、直に母材へのデバイスの超音波圧接、振動溶接およびレーザ核融合を使用して達成してもよい。
【０００９】
本発明の改竄表示セキュリティデバイスは、集光素子（たとえば、レンズ）を含む少なくとも１つの層で構成される光学フィルム材料と、画像要素（たとえば、アイコン）を含む少なくとも１つの層と、集光素子層と画像要素層との間に位置決めされた少なくとも１つの光学スペーサまたはスペーサ層とを備え、集光素子は、少なくとも画像要素の一部の１つまたはそれ以上の合成画像を形成する。光学フィルム材料は、接合弱化層、プライマ層または接着剤層およびその組み合わせの群から選択された１つまたはそれ以上の層を随意的に更に備えてもよい。更に、集光素子層は、以下で更に詳細に説明するように、部分または完全埋設層を随意的に構成してもよい。
【００１０】
本発明のセキュリティデバイスは、デバイスの片側または両側に塗布された１つまたはそれ以上の層を随意的に更に備えてもよく、それらの層には、印刷層（たとえば、裏面印刷層）、金属被覆および／または金属被覆部分除去層（ｐａｒｔｉａｌｌｙ  ｄｅｍｅｔａｌｉｚｅｄ  ｌａｙｅｒｓ）、プライマ層または接着剤層、シール層または被覆層、強化層（ｓｔｉｆｆｅｎｉｎｇ  ｌａｙｅｒｓ）およびその組み合わせが含まれるがこれらに限定されない。
【００１１】
本発明のデバイスが母材に接着または接合されていて、母材からデバイスを分離させようとしたとき、デバイスは失敗するように設計されており、故障は、通常、集光素子層および画像要素層内および／またはこれらの層の間で内部的に発生する。
【００１２】
分離させようとする行為は、デバイスを母材から引き離そうとすることから、フィルム材料と母材の間にかみそりの刃など、鋭利なオブジェクトを滑り込ませようとすること、すなわち、化学的衝撃、熱的衝撃、極低音衝撃または機械的衝撃に及ぶ可能性がある。
【００１３】
１つの企図された実施形態においては、光学フィルム材料は、光学スペーサまたはスペーサ層を更に備える。更に詳しくは、この企図された実施形態の改竄表示セキュリティデバイスは、
（ａ）集光素子を含む少なくとも１つの層と、画像要素を含む少なくとも１つの層と、少なくとも１つの集光素子層と少なくとも１つの画像要素層との間に位置決めされて接着された光学スペーサまたはスペーサ層とを備える光学フィルム材料を備え、集光素子は、少なくとも画像要素の一部の１つまたはそれ以上の合成画像を形成し、
この改竄表示セキュリティデバイスは、更に
（ｂ）随意的に、印刷層、金属被覆された層、部分的に金属被覆除去された層、プライマ層または接着剤層、シール層または被覆層、強化層（ｓｔｉｆｆｅｎｉｎｇ  ｌａｙｅｒｓ）およびその組み合わせの群から選択された１つまたはそれ以上の層を備える。
【００１４】
この企図された実施形態の改竄表示セキュリティデバイスは、任意の層での層内故障、または、集光素子層と光学スペーサの間などの集光素子層と画像要素層の間、または、光学フィルム材料の光学スペーサと画像要素層の間の任意の境界面での層間故障に向けて設計してもよい。特に、デバイスが母材に接着されていて、母材からデバイスを分離させようとしたとき、このような試みで固有の応力が、１組のこれらの列挙した層の境界面にて集中する。
【００１５】
別の企図された実施形態においては、２つの光学スペーサまたはスペーサ層およびプライマ層または接着剤層は、光学フィルム材料において使用される。更に詳しくは、この企図された実施形態の改竄表示セキュリティデバイスは、
（ａ）集光素子を含む少なくとも１つの層と、画像要素を含む少なくとも１つの層と、プライマ層または接着剤層により共に接着された２つの光学スペーサまたはスペーサ層とを備える光学フィルム材料を備え、２つの光学スペーサまたはスペーサ層は、少なくとも１つの集光素子層と少なくとも１つの画像要素層との間に位置決めされて接着され、集光素子は、少なくとも画像要素の一部の１つまたはそれ以上の合成画像を形成し、この改竄表示セキュリティデバイスは、更に
（ｂ）随意的に、印刷層、金属被覆された層、部分的に金属被覆除去された層、プライマ層または接着剤層、シール層または被覆層、強化層（ｓｔｉｆｆｅｎｉｎｇ  ｌａｙｅｒｓ）およびその組み合わせの群から選択された１つまたはそれ以上の層を備える。
【００１６】
この企図された実施形態の改竄表示セキュリティデバイスは、光学フィルム材料の光学スペーサまたはスペーサ層の一方とプライマ層または接着剤層の間の層間故障に向けて設計してもよい。
【００１７】
更に別の企図された実施形態においては、接合弱化層が、光学フィルム材料内に導入され、故障は、この層内でおよび／またはこの層と１つまたはそれ以上の隣接層または近接層の間で発生するように設計される。
【００１８】
尚も更に企図された実施形態においては、集光素子は、反射集光素子または集光反射体であり、層間故障は、たとえば、集光反射体の表面に塗布された反射（たとえば、金属）層と集光反射体の間で、または、光学スペーサと集光反射体の間で発生するように設計してもよい。
【００１９】
説明する層内故障および／または層間故障を達成するために、本発明のセキュリティデバイスは、
（ａ）セキュリティデバイス内のターゲット層の皮膜引張強さは、セキュリティデバイス内の他の層の皮膜引張強さを下回り、および／または
（ｂ）セキュリティデバイス内の２つの層間のターゲット境界面の接合強度は、セキュリティデバイス内の他の層の間およびセキュリティデバイスと母材の間の境界面の接合強度を下回るように設計される。
【００２０】
以下で更に詳細に説明するように、本発明のセキュリティデバイスは、
（１）セキュリティデバイスの残りの層または境界面に対して１つまたはそれ以上のターゲット層または境界面の剛性（ヤング率または縦弾性係数）、接合強度または架橋結合密度を増減し、
（２）応力誘起（たとえば、容積変更）成分をセキュリティデバイスの１つまたはそれ以上のターゲット層に組み込み、および／または、
（３）セキュリティデバイスの２つの層間のターゲット境界面にて接合弱化層を導入することにより、これらの相対的な皮膜引張強さおよび／または接合強度を組み込むように設計してもよく、これらの相対的な皮膜引張強さおよび接合強度は、ターゲット層でまたは集光素子層と画像要素層間のターゲット境界面での層内故障および／または層間故障または離層の一因となるものである。
【００２１】
本発明の他の特長および利点は、以下の詳細な説明および添付図面から当業者に明らかとなろう。別段の定義がない限り、本明細書で使用する全ての専門用語および科学用語は、本明細書が属する技術分野の当業者により一般に理解されるものと同じ意味を有する。本明細書で言及する全ての出版物、特許出願、特許および他の参考文献は、引用により本明細書に全体が組み込まれる。食い違いがある場合には、定義を含め本明細書が優先されることとする。更に、材料、方法および例は、例示的であるにすぎず、制限的であることを意図したものではない。
【００２２】
本開示は、以下の図面を参照してより深く理解されるであろう。適合している参照番号は、図面を通して対応する部品を指し、図面中の構成要素は、必ずしも縮尺通りではなく、その代わりに、本開示の諸原理を明らかに示す際に誇張されている。例示的な実施形態を図面に関連して開示するが、本明細書で開示する実施形態または種々の実施形態に本開示を制限する意図はない。それどころか、全ての代案、改変および均等物を対象とすることを意図するものである。
【図面の簡単な説明】
【００２３】
【図１Ａ】図１Ａは、本発明の改竄表示セキュリティデバイスの一実施形態の横断面側面図であり、光学フィルム材料は、１つの集光素子層と、１つのアイコン層と、これらの層の間に位置決めされて接着された光学スペーサとを備え、フィルム材料は、接着剤を使用することになく母材に直に接着または接合される。
【図１Ｂ】母材からデバイスを分離させようとしたときの、図１Ａに示す改竄表示セキュリティデバイスの光学スペーサとアイコン層の間の層間故障を示す図である。
【図２Ａ】集光素子層が凸レンズの埋設層であることを除き図１Ａと類似の図である。
【図２Ｂ】図２Ａの改竄表示セキュリティデバイスの集光素子層と光学スペーサの間の層間故障を示す図である。
【図２Ｃ】光学スペーサとアイコン層の間の層間故障を示す図である。
【図３Ａ】集光素子層が凹レンズの埋設層であることを除き図１Ａと類似の図である。
【図３Ｂ】図３Ａの改竄表示セキュリティデバイスの集光素子層と光学スペーサの間の層間故障を示す図である。
【図３Ｃ】光学スペーサとアイコン層の間で層間故障を示す図である。
【図４Ａ】集光素子層が凸面勾配率（ＧＲＩＮ）レンズの埋設層であることを除き、図１Ａと類似の図である。
【図４Ｂ】図４Ａの改竄表示セキュリティデバイスの集光素子層と光学スペーサの間の層間故障を示す図である。
【図４Ｃ】光学スペーサとアイコン層の間の層間故障を示す図である。
【図５Ａ】本発明の改竄表示セキュリティデバイスの更に別の実施形態の横断面側面図であり、光学フィルム材料は、１つの集光素子層と、１つのアイコン層と、プライマ層または接着剤層により共に接着された２つの光学スペーサとを備え、２つの光学スペーサは、集光素子層とアイコン層の間に位置決めされて接着され、フィルム材料は、接着剤を使用することになく母材に直に接着または接合される。
【図５Ｂ】図５Ａに示す改竄表示セキュリティデバイスの１つの光学スペーサとプライマ層または接着剤層の間の層間故障を示す図である。
【図６Ａ】集光素子層が凸レンズの埋設層であることを除き図５Ａと類似の図である。
【図６Ｂ】図６Ａに示す改竄表示セキュリティデバイスの１つの光学スペーサとプライマ層または接着剤層の間の層間故障を示す図である。
【図７】図７は、本発明の改竄表示セキュリティデバイスの更に別の実施形態の横断面側面図であり、光学フィルム材料は、１つの集光素子層と、１つのアイコン層と、集光素子層とアイコン層の間に位置決めされて接着された光学スペーサと、光学スペーサとアイコン層の間の故障を促進するためにアイコン層の下側に塗布された硬化層（ｓｔｉｆｆｅｎｉｎｇ  ｌａｙｅｒ）と、接着剤層と、を備え、接着剤層は、母材にフィルム材料を接着または接合する役目する。
【図８】本発明の改竄表示セキュリティデバイスの別の実施形態の横断面側面図であり、光学フィルム材料は、金属被覆集光反射体（屈折レンズの代わりに）の層と、アイコン層と、集光反射体層とアイコン層の間に位置する光学スペーサまたはスペーサ層と、集光反射体層を埋設して、上述したように、母材にフィルム材料を接着または接合する役目をする接着剤層とを備える。
【発明を実施するための形態】
【００２４】
開示する本発明の特定の特長部は、添付図面を参照して示す。
【００２５】
本件発明者らは、「剥いで壊す」特長の有用性を認識して、基礎をなす母材からデバイスを分離させようとしたときの層内故障および／または層間故障向けに設計された改竄表示セキュリティデバイスを開発した。
【００２６】
たとえば、セキュリティストリップ、細い線、パッチ、インレーまたはオーバレイの形を取ることができる本発明のデバイスは、とりわけ、通貨または紙幣、社債券、小切手、トラベラーズチェック、ＩＤカード、宝くじ券、パスポート、郵便切手および株券などの保管文書、ならびに文房具品目およびラベルなどの非保管文書との使用に向けて企図されている。本発明のデバイスは、消費者物品ならびに消費者物品と共に使用される袋または包装との使用に向けても企図されている。
【００２７】
図面の図１Ａをここで参照すると、本発明の改竄表示光学セキュリティデバイスの例示的な実施形態は、１０にて全体的に示されている。デバイス１０は、基本的に、集光素子１４と、アイコン１６を含む層と、集光素子層１４とアイコン層１６の間に位置決めされて接着された光学スペーサ１８とを含む層から構成される光学フィルム材料１２を備え、集光元素は、少なくともアイコンの一部の少なくとも１つの合成画像２０を形成する。２つの異なる合成画像が集光素子により形成されるとき、一方の合成画像は、米国特許第７，７３８，１７５号明細書で説明するように、別の合成画像の出現の範囲を調整または制御するように動作してもよく、この特許は、全体が引用により本明細書に組み入れられる。図１Ａに示す例示的な実施形態においては、本発明の改竄表示光学セキュリティデバイス１０は、たとえば、感圧型接着剤材料を使用するかまたは連動微細構造を形成して共に材料を封止するかまたは融合させるために熱を使用することにより直に母材２２に接着されると示されている。
【００２８】
図２Ａ、図３Ａ、図４Ａは、集光素子層１４は、図２Ａ内の凸レンズ２４の埋設層であり、参照番号２６は、埋封材料を指定するために使用され、集光素子層１４は、図３Ａ内の凹状レンズ２８の埋設層であり、集光素子層１４は図４Ａ内の凸面勾配率（ＧＲＩＮ）レンズ３０の埋設層である点を除き、図１Ａに示す実施形態と類似の実施形態を示す。
【００２９】
図５Ａ、図６Ａは、本発明の改竄表示セキュリティデバイス１０の実施形態を示し、光学フィルム材料１２は、１つの集光素子層１４（図６Ａに示す埋設集光素子層）と、
１つのアイコン層１６と、プライマ層または接着剤層３２により共に接着された２つの光学スペーサ１８ａ、１８ｂとを備え、２つの光学スペーサ１８ａ、１８ｂは、集光素子層１４とアイコン層１６の間に位置決めされて接着され、フィルム材料は、接着剤を使用することになく母材２２に直に接着または接合される。
【００３０】
集光素子層１４の集光素子は、屈折集光素子、反射集光素子または複合型屈折／反射集光素子とすることができる。一実施形態においては、図面に示すように、集光素子は、屈折マイクロレンズのアレイとすることができる。適当な集光素子の例は、Ｓｔｅｅｎｂｌｉｋ他に付与された米国特許第７，３３３，２６８号明細書、Ｓｔｅｅｎｂｌｉｋ他に付与された米国特許第７，４６８，８４２号明細書、および、Ｓｔｅｅｎｂｌｉｋ他に付与された米国特許第７，７３８，１７５号明細書において開示されており、これらの特許の全ては、先述したように、完全に本明細書で定めるがごとく、引用により完全に組み込まれる。
【００３１】
上述したように、集光素子層１４は、部分的にまたは全体的に埋設してもよく、この層の部分的または全体的な埋設は、外部効果の光学的劣化に対する本発明のセキュリティデバイスの抵抗を向上させる役目をする。このような実施形態においては、本発明のデバイスの外面から屈折境界面への屈折率は第１および第２の屈折率の間で変更され、第１の屈折率は、実質的にまたは測定可能に第２の屈折率と異なる。「実質的にまたは測定可能に異なる」という語句は、本明細書で使用するとき、集光素子の焦点距離を少なくとも約０．１ミクロン変化させる屈折率の差を意味する。
【００３２】
屈折率の変動は、（ｉ）集光素子（以下「第１の材料」という）を形成するために使用される材料、との異なった境界面を形成して、少なくとも集光素子の一部間の隙間の空間を埋めるおよび／またはこれらの集光素子を覆うか、または（ｉｉ）第１の材料に拡散し、それによって、第１の材料との傾斜境界面を形成する材料（以下「第２の材料」という）を使用して達成してもよい。第２の材料は、集光素子層を部分的にまたは全体的に埋設してもよいか、または、本発明のデバイスを封入してもよい。更に好ましくは、第２の材料は、集光素子層の外部境界を形成する（集光素子層の全体的な埋設）か、または、集光素子およびアイコン層両方の外部境界を形成する（改竄表示セキュリティデバイスの全体的な封入）。
【００３３】
第２の材料は、透明、半透明、薄色、または色素性であってもよく、かつ、光学効果、導電率または静電容量、磁場検出に頼る自動通貨認証、確認、追跡、計数および検出システムの支援を含む保安および認証の目的に向けて更なる機能性を実現してもよい。適当な材料としては、接着剤、ゲル、接着剤、ラッカー、液体、成型ポリマおよびポリマまたは有機的または金属的散乱を含む他の材料を挙げることができる。
【００３４】
アイコン層１６のアイコンは、正または負アイコン素子とすることができる。更に、アイコン素子は、いくつかの異なる技法を使用して形成することができる。たとえば、アイコン素子は、熱成形、鋳造、圧縮成形、射出成形、エンボス加工、模様放射線露光および成長、レーザ露光および成長、インクジェット印刷、電子印刷、印刷、型彫、電気鋳造、写真、ホログラフィック、よく知られた硬化およびエッチングまたは膨潤プロセスと組み合わせた感光乳剤のレーザ露光、マスキングおよび蒸着工程、マスキングおよび化学エッチング、マスキングおよび反応性イオンエッチング、マスキングおよびイオンビームミリング、微細加工、レーザ加工およびレーザ爆蝕、フォトポリマ露光および成長、および、他の適当な手段、および、その組み合わせにより形成することができる。一実施形態においては、アイコン素子は、高分子基板内の空隙または凹部、または、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、および、その組み合わせなど、造影物質（ｃｏｎｔｒａｓｔｉｎｇ  ｓｕｂｓｔａｎｃｅ）が随意的に充填された異形柱（ｓｈａｐｅｄ  ｐｏｓｔｓ）を取り囲む空隙（または凹部）または領域を有する反転異形柱（ｓｈａｐｅｄ  ｐｏｓｔｓ）の形である微細構造である。適当なアイコン素子の例は、Ｓｔｅｅｎｂｌｉｋ他に付与された米国特許第７，３３３，２６８号明細書、Ｓｔｅｅｎｂｌｉｋ他に付与された米国特許第７，４６８，８４２号明細書、および、Ｓｔｅｅｎｂｌｉｋ他に付与された米国特許第７，７３８，１７５号明細書において開示されており、これらの特許の全ては、先述したように、完全に本明細書で定めるがごとく、引用により完全に組み込まれる。
【００３５】
光学スペーサまたはスペーサ層１８は、集光素子層１４とアイコン層１６の間に含まれている。１つの当該の実施形態においては、光学スペーサまたはスペーサ層１８は、集光素子層１４またはアイコン層１６に接合されるかまたはその一部として形成される。別の実施形態においては、集光素子層１４の厚さは、集光素子が独立型であることを可能にするように増大される。更に別の実施形態においては、光学スペーサまたはスペーサ層１８ａは、別の光学スペーサまたはスペーサ層１８ｂに接合されている。これらの実施形態においては、層間故障は、たとえば、光学スペーサまたはスペーサ層１８とアイコン層１６の間で、集光素子層１４と光学スペーサまたはスペーサ層１８の間で、光学スペーサまたはスペーサ層１８ａ、１８ｂの間で、または、片側に集光素子を含む光学スペーサまたはスペーサ層１８と反対側に光学スペーサまたはアイコン素子を含むスペーサ層の間で発生するように設計することができる。
【００３６】
光学スペーサまたはスペーサ層１８は、ポリカーボネート、ポリエステル、ポリエチレン、ポリエチレンナフタレート、ポリエチレンテレフタレート、ポリプロピレン、ポリ塩化ビニリデンなどを含むがこれらに限定されない１つまたはそれ以上の本質的に透明または半透明のポリマを使用して形成してもよい。例示的な実施形態においては、光学スペーサまたはスペーサ層１８は、ポリエステルまたはポリエチレンテレフタレートを使用して形成される。
【００３７】
本発明の改竄表示セキュリティデバイス１０は、Ｓｔｅｅｎｂｌｉｋ他に付与された米国特許第７，３３３，２６８号明細書、Ｓｔｅｅｎｂｌｉｋ他に付与された米国特許第７，４６８，８４２号明細書、および、Ｓｔｅｅｎｂｌｉｋ他に付与された米国特許第７，７３８，１７５号明細書において説明されたものなど、更なる特長部を更に備えてもよく、これらの特許の全ては、先述したように、完全に本明細書で定めるがごとく、引用により完全に組み込まれる。たとえばおよび上述したように、セキュリティデバイス１０は、印刷層、金属被覆されたかまたは部分的に金属被覆された層、プライマ層または接着剤層、シール層または被覆層、および、強化層（ｓｔｉｆｆｅｎｉｎｇ  ｌａｙｅｒｓ）など１つまたはそれ以上の層を随意的に更に備えてもよい。１つの当該の実施形態においては、セキュリティデバイス１０は、この層を保護するアイコン層の側に塗布されたシール層または被覆層を更に備える。シール層または被覆層は、透明、半透明の、薄色、色素性、不透明、金属質、磁気性、光学的に可変であるか、または、光学効果、導電率または静電容量、磁場検出に頼る自動通貨認証、確認、追跡、計数および検出システムの支援を含む保安および認証目的に向けて望ましい光学効果および／または更なる機能性を実現するこれらの任意の組み合わせでもよい。適当なシール層または塗布層材料は、以下で記載される放射線硬化性樹脂、加えて、印刷業界および製紙業界およびフィルム変換業界で使用される多くの異なる市販のペンキ、インク、オーバーコート、ニス、ラッカーおよびクリヤコートのいずれかを含むことができる。
【００３８】
一実施形態においては、セキュリティデバイス１０は、実質的にＳｔｅｅｎｂｌｉｋ他に付与された米国特許第７，３３３，２６８号明細書、Ｓｔｅｅｎｂｌｉｋ他に付与された米国特許第７，４６８，８４２号明細書、Ｓｔｅｅｎｂｌｉｋ他に付与された米国特許第７，７３８，１７５号明細書において説明されているプロセスまたはプロセスにより調製される。たとえば、セキュリティデバイス１０は、（ａ）光学スペーサまたはスペーサ層１８上下面に実質的に透明または透明放射線硬化性樹脂を塗布し、（ｂ）上面上にマイクロレンズアレイを、光学スペーサ１８の下面上に、微細構造の形であるアイコンアレイ、たとえば、凹部および／または異形柱（ｓｈａｐｅｄ  ｐｏｓｔｓ）を形成し、（ｃ）放射線源を使用して実質的に透明または透明樹脂を硬化させ、（ｄ）色素性樹脂またはインクで異形柱（ｓｈａｐｅｄ  ｐｏｓｔｓ）を取り囲むアイコンアレイ凹部および／または区域を充填し、かつ、（ｅ）光学スペーサ１８の下面から余分な樹脂またはインクを除去することにより調製してもよい。
【００３９】
適当な放射線硬化性樹脂には、アクリル、エポキシ、ポリエステル、アクリル化ポリエステル、ポリプロピレン、ウレタン、アクリル化ウレタンなどが含まれるがこれらに限定されない。アレイは、Ｌｏｒｄ  Ｃｈｅｍｉｃａｌｓ社から販売されているアクリル化ウレタンを使用して形成することが好ましい。
【００４０】
上述したように、セキュリティデバイス１０は、通貨または紙幣、保管文書（たとえば、身分証明（ＩＤ）カード）および消費者物品の認証に使用してもよい。概して、セキュリティデバイス１０は、プラスチック、ポリマフィルム（たとえば、アクリル、セロハン、ポリカーボネート、ポリエステル、ポリエチレン、ポリプロピレン、ポリビニール、ポリ塩化ビニリデン、ナイロン）、レザー、金属、ガラス、木、紙または紙状材料、布などの材料を含むがこれらに限定されない、セキュリティデバイスを必要とする任意の母材に接着してもよい。
【００４１】
１つの企図された実施形態においては、セキュリティデバイス１０は、パスポート紙に接着または接合される。
【００４２】
先述したように、セキュリティデバイス１０は、接着剤の使用の有無を問わず基礎をなす母材２２に接着または接合してもよい。接着剤を使用しない接合は、たとえば、超音波圧接、振動溶接およびレーザ核融合などの熱溶接技術を使用して達成してもよい。母材２２にデバイス１０を接着する接着剤は、ホットメルト接着剤、熱活性化性接着剤、感圧型接着剤および高分子貼合せ用フィルムの１つであってよい。これらの接着剤は、紫外線（ＵＶ）硬化アクリルまたはエポキシなど性質が架橋性であることが好ましく、架橋は、接着剤が溶融段階中にまたは冷えると達成される。
【００４３】
母材２２からデバイス１０を分離させようとしたときの光学スペーサまたはスペーサ層１８と光学フィルム材料１２のアイコン層１６の間の層間故障を図１Ｂ、２Ｃ、３Ｃおよび４Ｃに示す。これらの図面に示す求められている層間故障または離層は、
（１）アイコン層１６の剛性（ヤング率または縦弾性係数）、接合強度または架橋結合密度を増減し、
（２）応力誘起（たとえば、容積変更）成分をアイコン層１６の側に塗布されたアイコン層調製状態（ｆｏｒｍｕｌａｔｉｏｎ）またはシール層または塗布層調製状態（ｆｏｒｍｕｌａｔｉｏｎ）に組み込み、および／または、
（３）光学スペーサまたはスペーサ層１８とアイコン層１６の間の境界面にて接合弱化または犠牲層を導入することにより達成してもよい。
【００４４】
図２Ｂ、３Ｂおよび４Ｂでは、集光素子層１４と光学スペーサ１８間の層間故障を示す。このような層間故障つまり離層は、集光素子層１４の剛性、接合強度または架橋結合密度を増減して、応力誘起成分をこの層に組み込み、および／または、層１４と光学スペーサ１８の間の境界面にて接合弱化層を導入することにより達成してもよい。当業者に難なく明らかとなるように、図１Ｂの層間故障は、集光素子層１４と光学スペーサ１８の間で発生するように設計することもできる。
【００４５】
図５Ｂおよび６Ｂでは、１つの光学スペーサ１８ａとプライマ層または接着剤層３２間の層間故障を示す。このような層間故障または離層は、印加または誘起された応力は、たとえば、その剛性または架橋結合密度を減少させることにより、または、この層を調製するために使用される応力誘起成分を調製状態（ｆｏｒｍｕｌａｔｉｏｎ）に組み込むことによりこの平面に沿って伝搬されるように層間接合強度を低減するようにプライマまたは接着剤層３２を調製することにより達成してもよい。
【００４６】
上述したように、層間故障つまり離層は、アイコン層１６の剛性、接合強度または架橋結合密度を増減することにより達成してもよい。アイコン層１６の剛性および架橋結合密度を増大させることは、たとえば、（１）製造中に放射線（たとえば、ＵＶまたは電子ビーム放射線）に対する全てのセキュリティデバイス１０またはアイコン層１６のみの露光を増大させるか、または、（２）デバイス１０が母材２２上で所定の位置にくると放射線に対する全てのセキュリティデバイス１０またはアイコン層１６のみの露光を増大させることにより達成してもよい。
【００４７】
１つのこのような企図された実施形態においては、層間故障は、全てのフィルム材料１２またはデバイス１０が放射線に露光される時間を増大させることにより達成される。集光素子およびアイコン層１４、１６は、通常、架橋性熱硬化性層であり、一方、光学スペーサ１８は、熱可塑性層である。放射線露光時間の増大は、ある程度までこれらの層内の架橋のレベルおよびしたがって剛性またはヤング率（ＡＳＴＭ  Ｄ７４７―１０、Ｄ８８２―１０またはＤ２２４０―０５（２０１０年））および皮膜引張強さのレベルを増大させる役目をすることになる。層間故障は、光学スペーサまたはスペーサ層１８と相対的に剛性のアイコン層１６の間で発生するが、その理由としては、アイコン層は、集光素子層１４が応力印加または誘起（たとえば、圧力、屈曲、収縮）中に光学スペーサと共に屈曲することができる間に屈曲することに抗するからである。特に、フィルム材料１２に印加／内に誘起された応力は、応力除去区域を形成する集光素子間の隙間の空隙のため、集光素子間で伝搬しない。通常連続またはほぼ連続層であるアイコン層１６は、確かに隣接アイコン区域に応力を伝搬し、その結果、この層と近接層間の分離および接合破壊の傾向が増大する。放射線露光時間の増大は、光学スペーサの剛性を変更する役目をしないので、アイコン層に対して柔軟性を保持し、層間の分離の傾向が増大する。
【００４８】
層間故障は、アイコン層１６のみについて放射線露光時間を増大させることにより達成されることが好ましい。当業者に明らかとなるように、放射線に対するアイコン層１６の露光を選択的に増大させると、有利なことに、集光素子層１４の劣化または変更が防止され、その結果、この層の良好な耐摩耗性が維持される。この好適な実施形態においては、アイコン層１６の剛性またはヤング率は、集光素子層１４の剛性またはヤング率より大きい。
【００４９】
上述した理由で、集光素子層１４の剛性および架橋結合密度を増大させることは、他の層の劣化を回避しながら集光素子層１４のみについて放射線時間を増大させることにより達成されることが好ましい。
【００５０】
図７で最もよく示すように、アイコン層１６の剛性を増大させることは、この層に相対的に硬い裏張りつまり強化層（ｓｔｉｆｆｅｎｉｎｇ  ｌａｙｅｒｓ）３４を塗布することによっても達成してもよい。ここで、セキュリティデバイスは、接着剤３６を使用して母材２２に接着または接合される。適当な強化層（ｓｔｉｆｆｅｎｉｎｇ  ｌａｙｅｒｓ）は、ポリエステルテトラアクリレート（引張強度：６０００ｐｓｉ）、ビスフェノールＡエポキシジアクリレート（引張強度：１３，９００ｐｓｉ）およびＬＬＣ、５０２Ｔｈｏｍａｓ  Ｊｏｎｅｓ  Ｗａｙ  Ｅｘｔｏｎ、ＰＡ１９３４１所在のＳａｒｔｏｍｅｒ、アメリカ合衆国から販売されているジプロピレングリコールジアクリレート（引張強度：９，１００ｐｓｉ）など多機能性アクリレート単量体およびオリゴマを含むがこれらに限定されない多機能性単量体およびオリゴマから調製してもよく、相対的な剛度は、層３４内の架橋結合密度の程度により制御される。この実施形態においては、層間故障は光学フィルム材料１２の光学スペーサ１８とアイコン層１６の間で発生する。
【００５１】
層間故障は、応力誘起（たとえば、容積変更）成分をターゲット層（たとえば、アイコン層１６の側に塗布されたアイコン層１６またはシール層または塗布層調製状態（ｆｏｒｍｕｌａｔｉｏｎ）を調製するために使用される調製状態（ｆｏｒｍｕｌａｔｉｏｎ）に組み込むことにより達成してもよい。応力誘起成分には、硬化すると収縮するかまたはガスを放出する成分（たとえば、膨張ポリウレタン発泡体）、特定の液体またはガスに晒されたときに膨張する構成部品、温度の変化で相変化または相分離する成分（たとえば、多結晶質または結晶質になるために相変化する非晶質ポリマ）が含まれるがこれらに限定されない。たとえば、アイコン層１６を調製するために使用される調製状態（ｆｏｒｍｕｌａｔｉｏｎ）に組み込まれるとき、応力誘起成分は、層内に固有の応力を引き起こし、その結果、アイコン層１６と近接層の接合が弱まる。シール層または塗布層調製状態（ｆｏｒｍｕｌａｔｉｏｎ）を調製するために使用される調製状態（ｆｏｒｍｕｌａｔｉｏｎ）に組み込まれるとき、本質的に応力が掛かるシール層または塗布層は、アイコン層１６に力を掛けることになり、これは、同様に、アイコン層１６と近接層の接合を弱める役目をする。
【００５２】
説明する層内故障は、集光素子層１４とアイコン層１６の間の境界面にて均一または模様接合弱化または犠牲層（たとえばラッカーまたは蒸気蒸着金属またはスパッタ金属を含む金属などの相対的に低い皮膜引張強さを有する他の材料または誘電材料）を導入することによっても達成してもよい。適当な接合弱化または犠牲層は、相対的に低い皮膜引張強さを有する材料（すなわち、引張破壊（塑性変形なしで）を引き起こす応力が相対的に低い材料）を使用して調製され、適当な接合弱化または犠牲層には、ラッカー、金属層（たとえば蒸気蒸着層またはスパッタ金属層）および誘導体被覆が含まれるが、これらに限定されない。
【００５３】
集光反射体を採用する非屈折実施形態については、層間故障は、図８で最もよく示すように、集光反射体面４０に均一または模様金属層３８を塗布することにより達成してもよい。ここでは、金属層３８は、基礎をなす母材２２からデバイス１０を分離させようとしたときに層間故障を可能にしながら集光効率を向上させる役目をする。この実施形態においては、接着剤４２は、集光反射体を隙間の空間を満たして覆う。本開示から難なく明らかになるように、図８に示すデバイスの層間故障は、アイコン層１６と光学スペーサ１８の間で、または、光学スペーサ１８と集光反射体４０の層の間で発生するように設計してもよい。
【００５４】
上述したように、説明した層間故障は、システムの他の層の間で発生するように設計することもできる。たとえば、１つまたはそれ以上の更なる集光素子層を含めることができ、ならびに、１つまたはそれ以上の更なるアイコン層を含めることができる。１つまたはそれ以上の更なる集光素子層および／またはアイコン層が含まれる場合、１つまたはそれ以上の更なる合成画像を形成することができる。２つの異なる合成画像が形成されるとき、本明細書で説明する層間故障は、２つの合成画像の一方（他方ではなく）の形成が中断されるように層間で発生するように設計することができる。
【００５５】
上記の説明から明らかであるように、たとえば本発明は、調製状態（ｆｏｒｍｕｌａｔｉｏｎ）および硬化線量の変更以外の生成ステップ上の大きな変更および／または製造システム上の大きな変更を必要とすることなくセキュリティ機能および改竄表示機能を果たす。更に、本発明のデバイスはセキュリティデバイスを必要とする任意の母材に接着してもよいが、本発明は、特に、たとえばパスポート書類などの身分証明書類と共に使用されるときに有利である。特に主要空港でのセキュリティは、重要な関心事になっている。高い信頼性および耐タンハー性で搭乗者を明確に識別するために、印刷可能な身分証明は現在使用されていない。本発明は、明確かつ紛れもない改竄表示特性を書類に与えることによりパスポート書類の信頼性のレベルを増大させる役目をする。
【００５６】
本発明の様々な実施形態を先述したが、一例としてのみ提示したものであり、限定するものではないことを理解されたい。したがって、本発明の広さおよび範囲は、例示的な実施形態のいずれによっても限定されるべきではない。
【図１Ａ】
2013501661.tif 000003
【図１Ｂ】
2013501661.tif 000004
【図２Ａ】
2013501661.tif 000005
【図２Ｂ】
2013501661.tif 000006
【図２Ｃ】
2013501661.tif 000007
【図３Ａ】
2013501661.tif 000008
【図３Ｂ】
2013501661.tif 000009
【図３Ｃ】
2013501661.tif 000010
【図４Ａ】
2013501661.tif 000011
【図４Ｂ】
2013501661.tif 000012
【図４Ｃ】
2013501661.tif 000013
【図５Ａ】
2013501661.tif 000014
【図５Ｂ】
2013501661.tif 000015
【図６Ａ】
2013501661.tif 000016
【図６Ｂ】
2013501661.tif 000017
【図７】
2013501661.tif 000018
【図８】
2013501661.tif 000019
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
母材に接着または接合される、１つまたはそれ以上の合成画像を生成するように動作する改竄表示セキュリティデバイスであって、
前記デバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、
前記画像要素は、高分子基板内の空隙または凹部の前記形である微細構造又は隆起した区域または異形柱（ｓｈａｐｅｄ  ｐｏｓｔｓ）の形である微細構造であり、
前記デバイスは、前記母材から前記デバイスを分離させようとしたとき分離するかまたは離層し、前記デバイスは、部分的にまたは全体的に動作不可能になる、改竄表示セキュリティデバイス。
【請求項２】
前記母材から前記デバイスを分離させようとしたとき、前記デバイスは、もはや、１つまたはそれ以上の合成画像を生成するように動作しない、又は、前記デバイスは、低減された数の合成画像を生成する、請求項１に記載の改竄表示セキュリティデバイス。
【請求項３】
前記集光素子は、少なくとも前記画像要素の一部の１つまたはそれ以上の合成画像を形成し、前記セキュリティデバイスは、前記母材から前記デバイスを分離させようとしたとき、前記セキュリティデバイス内のターゲット層内のおよび／またはターゲット境界面にて分離するかまたは離層する、請求項１に記載の改竄表示セキュリティデバイス。
【請求項４】
（ａ）前記セキュリティデバイス内の前記ターゲット層の前記皮膜引張強さは、前記セキュリティデバイス内の前記他の層の前記皮膜引張強さを下回り、および／または、（ｂ）前記セキュリティデバイス内の前記ターゲット境界面の前記接合強度は、前記セキュリティデバイス内の前記他の層の間および前記セキュリティデバイスと前記母材の間の境界面の前記接合強度を下回る、請求項３に記載の改竄表示セキュリティデバイス。
【請求項５】
（ａ）集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とを備える光学フィルム材料と、随意的に、接合弱化層、プライマ層または接着剤層およびその組み合わせの前記群から選択された１つまたはそれ以上の層とを備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、
（ｂ）随意的に、印刷層、部分的にまたは全体的に金属被覆された層、プライマ層または接着剤層、シール層または被覆層、強化層（ｓｔｉｆｆｅｎｉｎｇ  ｌａｙｅｒｓ）およびその組み合わせの前記群から選択された１つまたはそれ以上の層とを備える、請求項１に記載の改竄表示セキュリティデバイス。
【請求項６】
集光素子を含む前記少なくとも１つの層は、部分または完全埋設層である、請求項５に記載の改竄表示セキュリティデバイス。
【請求項７】
前記光学フィルム材料の前記集光素子は、焦点距離を有する屈折集光素子であり、前記光学フィルム材料は、外面から屈折境界面まで第１および第２の屈折率の間で変更される屈折率を有し、前記第１の屈折率は、前記第２の屈折率と実質的にまたは測定可能に異なり、
前記第１の屈折率と前記第２の屈折率間の前記差異は、前記集光素子の前記焦点距離において少なくとも約０．１ミクロンの変化を引き起こす、請求項６に記載の改竄表示セキュリティデバイス。
【請求項８】
前記少なくとも１つの集光素子層は、屈折率を有する第１の材料から形成され、前記光学フィルム材料は、前記集光素子を隙間の空間を満たしておよび／または覆う異なる屈折率を有する第２の材料を更に備え、異なった境界面は、前記第１および第２の材料との間に形成される、請求項６に記載の改竄表示セキュリティデバイス。
【請求項９】
前記第２の材料は、全体的に前記少なくとも１つの集光素子層を埋設し、
前記第２の材料は、前記少なくとも１つの画像要素層の外部境界または層を形成し、その結果、全体的にこの層も埋設される、請求項８に記載の改竄表示セキュリティデバイス。
【請求項１０】
前記少なくとも１つの集光素子層は、屈折率を有する第１の材料および異なる屈折率を有する第２の材料から形成され、前記第２の材料は、前記第１の材料に拡散し、その結果、前記第１の材料との傾斜境界面が形成される、請求項６に記載の改竄表示セキュリティデバイス。
【請求項１１】
前記集光素子は、屈折集光素子、反射集光素子、集光反射体、金属被覆集光反射体、複合型屈折／反射集光素子およびその組み合わせの前記群から選択される、請求項５に記載の改竄表示セキュリティデバイス。
【請求項１２】
前記画像要素は、高分子基板内の空隙または凹部の前記形である微細構造であり、前記空隙または凹部は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填され、
又は、
前記画像要素は、隆起した区域または異形柱（ｓｈａｐｅｄ  ｐｏｓｔｓ）の形である微細構造であり、前記隆起した区域または異形柱（ｓｈａｐｅｄ  ｐｏｓｔｓ）を取り囲む領域は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填される、請求項５に記載の改竄表示セキュリティデバイス。
【請求項１３】
画像要素を含む前記少なくとも１つの層は、応力誘起成分を備え、
又は、
前記光学フィルム材料は、２つまたはそれ以上の合成画像を形成する２つまたはそれ以上の集光素子層を備え、前記母材から前記デバイスを分離させようとしたとき、前記デバイスは、低減された数の合成画像を生成し、
又は、
前記光学フィルム材料は、２つまたはそれ以上の画像要素層を備え、前記集光元素は、２つまたはそれ以上の合成画像を形成し、前記母材から前記デバイスを分離させようとしたとき、前記デバイスは、低減された数の合成画像を生成する、請求項５に記載の改竄表示セキュリティデバイス。
【請求項１４】
前記光学フィルム材料は、前記少なくとも１つの集光素子層と前記少なくとも１つの画像要素層の間に位置して接着された１つの光学スペーサまたはスペーサ層を備える、請求項５に記載の改竄表示セキュリティデバイス。
【請求項１５】
前記母材から前記デバイスを分離さようとしたとき、前記セキュリティデバイスの分離または離層は、前記光学フィルム材料の前記少なくとも１つの集光素子層と前記光学スペーサまたはスペーサ層の間で発生し、
又は、
前記母材から前記デバイスを分離させようとしたとき、前記セキュリティデバイスの分離または離層は、前記光学フィルム材料の前記光学スペーサまたはスペーサ層と前記少なくとも１つの画像要素層の間で発生し、
又は、
前記光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成される、請求項１４に記載の改竄表示セキュリティデバイス。
【請求項１６】
前記光学フィルム材料は、プライマ層および接着剤層により共に接着される２つの光学スペーサまたはスペーサ層を備え、前記２つの光学スペーサまたはスペーサ層は、前記少なくとも１つの集光素子層と前記少なくとも１つの画像要素層の間に位置して接着される、請求項５に記載の改竄表示セキュリティデバイス。
【請求項１７】
前記母材から前記デバイスを分離させようとしたとき、前記セキュリティデバイスの分離または離層は、前記光学フィルム材料の１つの光学スペーサまたはスペーサ層と前記プライマ層および接着剤層の間で発生し、
又は、
前記２つの光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成され、
又は、
前記プライマ層および接着剤層は、ホットメルト接着剤、熱活性化性接着剤、感圧型接着剤、および高分子貼合せ用フィルムの前記群から選択された１つまたはそれ以上の粘着剤を使用して形成される、請求項１６に記載の改竄表示セキュリティデバイス。
【請求項１８】
前記プライマ層および接着剤層は、硬化アクリル樹脂材料、又は、硬化エポキシ樹脂材料を使用して形成される、請求項１７に記載の改竄表示セキュリティデバイス。
【請求項１９】
前記光学フィルム材料は、前記少なくとも１つの集光素子層および前記少なくとも１つの画像要素層の間に位置してそのうちの少なくとも１つに接着された１つまたはそれ以上の接合弱化層を更に備える、請求項５に記載の改竄表示セキュリティデバイス。
【請求項２０】
前記１つまたはそれ以上の接合弱化層は、均一な接合弱化層、又は、模様接合弱化層、又は、金属層である、請求項１９に記載の改竄表示セキュリティデバイス。
【請求項２１】
前記金属層は、蒸気蒸着金属層である、請求項２０に記載の改竄表示セキュリティデバイス。
【請求項２２】
前記１つまたはそれ以上の接合弱化層は、誘電被覆であり、
又は、
層内故障は、前記１つまたはそれ以上の接合弱化層内に発生するように設計され、
又は
層間故障は、前記１つまたはそれ以上の接合弱化層と近接層の間で発生するように設計される、請求項１９に記載の改竄表示セキュリティデバイス。
【請求項２３】
前記集光素子は、反射集光素子または集光反射体であり、前記セキュリティデバイスは、前記集光反射体上に位置する反射層を更に備え、
層間故障は、前記反射層と前記集光反射体の間で発生するように設計される、請求項５に記載の改竄表示セキュリティデバイス。
【請求項２４】
１つまたはそれ以上のシール層または被覆層を更に備える請求項５に記載の改竄表示セキュリティデバイス。
【請求項２５】
前記１つまたはそれ以上のシール層または被覆層は、前記少なくとも１つの集光素子層の反対側の前記光学フィルム材料の前記少なくとも１つの画像要素層に塗布され、前記１つまたはそれ以上のシール層または被覆層は、透明、半透明、薄色、色素性、不透明、金属質、磁気性または光学的に可変である部分を少なくとも有し、又は、前記１つまたはそれ以上のシール層または被覆層は、応力誘起成分を備える請求項２４に記載の改竄表示セキュリティデバイス。
【請求項２６】
前記少なくとも１つのシール層または被覆層は、アクリル、エポキシ、ポリエステル、アクリル化ポリエステル、ポリプロピレン、ウレタン、アクリル化ウレタン、およびその組み合わせの前記群から選択された放射線硬化性樹脂を使用して調製される、請求項２５に記載の改竄表示セキュリティデバイス。
【請求項２７】
１つまたはそれ以上のプライマ層または接着剤層は、前記光学フィルム材料の一部をなしておよび／または前記セキュリティデバイスの片側または両側に塗布される、請求項５に記載の改竄表示セキュリティデバイス。
【請求項２８】
前記１つまたはそれ以上のプライマ層または接着剤層は、ホットメルト接着剤、熱活性化性接着剤、感圧型接着剤、および高分子貼合せ用フィルムの前記グループから選択された材料を使用して調製される、請求項２７に記載の改竄表示セキュリティデバイス。
【請求項２９】
前記１つまたはそれ以上のプライマ層または接着剤層は、硬化アクリル樹脂材料、又は、
硬化エポキシ樹脂材料を使用して形成される、請求項２８に記載の改竄表示セキュリティデバイス。
【請求項３０】
前記光学フィルム材料の前記１つまたはそれ以上の画像要素層に塗布された１つまたはそれ以上の強化層（ｓｔｉｆｆｅｎｉｎｇ  ｌａｙｅｒｓ）を更に備える請求項５に記載の改竄表示セキュリティデバイス。
【請求項３１】
前記１つまたはそれ以上の強化層（ｓｔｉｆｆｅｎｉｎｇ  ｌａｙｅｒｓ）は、ポリエステルテトラアクリレート、ビスフェノールＡエポキシジアクリレート、ジプロピレングリコールジアクリレート、およびその組み合わせの前記グループから選択された多機能性アクリレート単量体またはオリゴマを使用して調製され、
層間故障は、前記光学スペーサまたはスペーサ層と前記少なくとも１つの画像要素層の間で発生するように設計される、請求項３０に記載の改竄表示セキュリティデバイス。
【請求項３２】
セキュリティストリップ、細い線、パッチ、インレーまたはオーバレイの前記形である請求項５に記載の改竄表示セキュリティデバイス。
【請求項３３】
前記母材は、通貨、紙幣、社債券、小切手、トラベラーズチェック、ＩＤカード、宝くじ券、パスポート、郵便切手、株券、文房具品目、ラベル、消費者物品、および消費者物品と共に使用される袋または包装の前記群から選択される、請求項５に記載の改竄表示セキュリティデバイス。
【請求項３４】
両面を有し、表面に取り付けられたか、または少なくとも部分的に埋設された請求項１又は請求項５に記載の少なくとも１つの改竄表示セキュリティデバイスを備えるシート材料。
【請求項３５】
請求項３４に記載の前記シート材料から作製された文書。
【請求項３６】
紙幣、パスポート、ＩＤカード、クレジットカード、およびラベルの前記群から選択される請求項３５に記載の文書。
【請求項３７】
分離させようとしたときに母材に接着または接合されたセキュリティデバイスに関する改竄を暴露または表示する方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、前記画像要素は、高分子基板内の空隙または凹部の前記形である微細構造又は媽隆起した区域または異形柱（ｓｈａｐｅｄ  ｐｏｓｔｓ）の形である微細構造であり、前記方法は、
前記母材から前記セキュリティデバイスを分離させようとしたときに、前記１つまたはそれ以上の層が分離または離層し、前記セキュリティデバイスを部分的または全体的に動作不可能し、その結果、改竄が発生した表示するように印加または誘起された応力に集中する前記光学フィルム材料内の１つまたはそれ以上の層の前記能力を増大させるステップを備える、方法。
【請求項３８】
母材に接着または接合されるセキュリティデバイスに、前記母材から前記デバイスを分離させようとしたときに分離または離層させる方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、前記画像要素は、高分子基板内の空隙または凹部の前記形である微細構造又は隆起した区域または異形柱（ｓｈａｐｅｄ  ｐｏｓｔｓ）の形である微細構造であり、
前記方法は、
（ａ）前記セキュリティデバイスの残りの層または境界面に対して前記セキュリティデバイスの１つまたはそれ以上の層または境界面の前記剛性、接合強度または架橋結合密度を増減するステップと、
（ｂ）応力誘起成分を前記セキュリティデバイスの１つまたはそれ以上の層に組み込むステップと、
（ｃ）前記セキュリティデバイスの２つの層間の境界面にて接合弱化層を導入するステップとの１つまたはそれ以上を備える、方法。
【請求項３９】
前記セキュリティデバイスの１つまたはそれ以上の層の前記剛性および架橋結合密度は、（ａ）製造中に放射線への前記セキュリティデバイスまたは前記セキュリティデバイスの１つまたはそれ以上の層の露光を増大させるか、または、（ｂ）前記デバイスが母材上で所定の位置になると前記セキュリティデバイスまたは放射線への前記セキュリティデバイスの１つまたはそれ以上の層の露光を増大させることにより増大する、請求項３８に記載の方法。
【請求項４０】
応力誘起成分は、前記セキュリティデバイスの前記１つまたはそれ以上の層に組み込まれ、前記応力誘起成分は、硬化すると収縮するかまたはガスを放出する成分、特定の液体またはガスに晒されたときに膨張する成分、および、温度の変化で相変化または相分離する成分の前記群から選択される、請求項３８に記載の方法。
【請求項４１】
前記応力誘起成分は、硬化すると収縮するかまたはガスを放出する成分であり、
又は、
前記応力誘起成分は、特定の液体またはガスに晒されたときに膨張する成分であり、  
又は、
前記応力誘起成分は、温度の変化で相変化または相分離する成分であり、
又は、
応力誘起成分は、前記少なくとも１つの画像要素層に組み込まれ、
又は、
前記セキュリティデバイスは、１つまたはそれ以上のシール層または被覆層を更に備え、応力誘起成分は、前記１つまたはそれ以上のシール層または被覆層に組み込まれる、請求項４０に記載の方法。
【請求項４２】
硬化すると収縮するかまたはガスを放出する前記成分は、膨張ポリウレタン発泡体である、請求項４１に記載の方法。
【請求項４３】
温度の変化で相変化または相分離する前記成分は、多結晶質または結晶質になるために相変化する非晶質ポリマである、請求項４２に記載の方法。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
母材に接着または接合される、１つまたはそれ以上の合成画像を生成するように動作する改竄表示セキュリティデバイスであって、
前記デバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、
前記集光素子は、前記画像要素の少なくとも一部分の１つまたはそれ以上の合成画像を形成し、
前記画像要素は、高分子基板内の空隙または凹部の前記形である微細構造又は隆起した区域または異形柱（ｓｈａｐｅｄ  ｐｏｓｔｓ）の形である微細構造であり、
前記デバイスは、前記母材から前記デバイスを分離させようとしたとき分離するかまたは離層し、前記デバイスは、部分的にまたは全体的に動作不可能になる、改竄表示セキュリティデバイス。
【請求項２】
前記母材から前記デバイスを分離させようとしたとき、前記デバイスは、もはや、１つまたはそれ以上の合成画像を生成するように動作しない、又は、前記デバイスは、低減された数の合成画像を生成する、請求項１に記載の改竄表示セキュリティデバイス。
【請求項３】
前記集光素子は、少なくとも前記画像要素の一部の１つまたはそれ以上の合成画像を形成し、前記セキュリティデバイスは、前記母材から前記デバイスを分離させようとしたとき、前記セキュリティデバイス内のターゲット層内のおよび／またはターゲット境界面にて分離するかまたは離層する、請求項１に記載の改竄表示セキュリティデバイス。
【請求項４】
（ａ）前記セキュリティデバイス内の前記ターゲット層の前記皮膜引張強さは、前記セキュリティデバイス内の前記他の層の前記皮膜引張強さを下回り、および／または、（ｂ）前記セキュリティデバイス内の前記ターゲット境界面の前記接合強度は、前記セキュリティデバイス内の前記他の層の間および前記セキュリティデバイスと前記母材の間の境界面の前記接合強度を下回る、請求項３に記載の改竄表示セキュリティデバイス。
【請求項５】
（ａ）集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とを備える光学フィルム材料と、随意的に、接合弱化層、プライマ層または接着剤層およびその組み合わせの前記群から選択された１つまたはそれ以上の層とを備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、
（ｂ）随意的に、印刷層、部分的にまたは全体的に金属被覆された層、プライマ層または接着剤層、シール層または被覆層、強化層（ｓｔｉｆｆｅｎｉｎｇ  ｌａｙｅｒｓ）およびその組み合わせの前記群から選択された１つまたはそれ以上の層とを備える、請求項１に記載の改竄表示セキュリティデバイス。
【請求項６】
集光素子を含む前記少なくとも１つの層は、部分または完全埋設層である、請求項５に記載の改竄表示セキュリティデバイス。
【請求項７】
前記光学フィルム材料の前記集光素子は、焦点距離を有する屈折集光素子であり、前記光学フィルム材料は、外面から屈折境界面まで第１および第２の屈折率の間で変更される屈折率を有し、前記第１の屈折率は、前記第２の屈折率と実質的にまたは測定可能に異なり、
前記第１の屈折率と前記第２の屈折率間の前記差異は、前記集光素子の前記焦点距離において少なくとも約０．１ミクロンの変化を引き起こす、請求項６に記載の改竄表示セキュリティデバイス。
【請求項８】
前記少なくとも１つの集光素子層は、屈折率を有する第１の材料から形成され、前記光学フィルム材料は、前記集光素子を隙間の空間を満たしておよび／または覆う異なる屈折率を有する第２の材料を更に備え、異なった境界面は、前記第１および第２の材料との間に形成される、請求項６に記載の改竄表示セキュリティデバイス。
【請求項９】
前記第２の材料は、全体的に前記少なくとも１つの集光素子層を埋設し、
前記第２の材料は、前記少なくとも１つの画像要素層の外部境界または層を形成し、その結果、全体的にこの層も埋設される、請求項８に記載の改竄表示セキュリティデバイス。
【請求項１０】
前記少なくとも１つの集光素子層は、屈折率を有する第１の材料および異なる屈折率を有する第２の材料から形成され、前記第２の材料は、前記第１の材料に拡散し、その結果、前記第１の材料との傾斜境界面が形成される、請求項６に記載の改竄表示セキュリティデバイス。
【請求項１１】
前記集光素子は、屈折集光素子、反射集光素子、集光反射体、金属被覆集光反射体、複合型屈折／反射集光素子およびその組み合わせの前記群から選択される、請求項５に記載の改竄表示セキュリティデバイス。
【請求項１２】
前記画像要素は、高分子基板内の空隙または凹部の前記形である微細構造であり、前記空隙または凹部は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填され、
又は、
前記画像要素は、隆起した区域または異形柱（ｓｈａｐｅｄ  ｐｏｓｔｓ）の形である微細構造であり、前記隆起した区域または異形柱（ｓｈａｐｅｄ  ｐｏｓｔｓ）を取り囲む領域は、染料、着色剤、顔料、粉末材料、インク、粉末状鉱物、金属材料および粒子、磁性材料および粒子、磁化材料および粒子、磁気反応性材料および粒子、蛍光体、液晶、液晶重合体、カーボンブラックまたは他の吸光材料、二酸化チタンまたは他の光散乱材料、フォトニック結晶、非線形結晶、ナノ粒子、ナノチューブ、バッキーボール（ｂｕｃｋｅｙｂａｌｌｓ）、バッキーチューブ（ｂｕｃｋｅｙｔｕｂｅｓ）、有機物、真珠光沢材料（ｐｅａｒｌｅｓｃｅｎｔ  ｍａｔｅｒｉａｌｓ）、真珠粉末（ｐｏｗｄｅｒｅｄ  ｐｅａｒｌｓ）、多層干渉材料、乳白色材料（ｏｐａｌｅｓｃｅｎｔ  ｍａｔｅｒｉａｌｓ）、虹彩材料（ｉｒｉｄｅｓｃｅｎｔ  ｍａｔｅｒｉａｌｓ）、低屈折率材料または粉体、高屈折率材料または粉体、ダイヤモンド粉末、構造色材料、偏光材料、偏光回転材料、蛍光物質、燐光物質、熱変色材、ピエゾクロミック材料、調光材料、摩擦ルミネンス材料（ｔｒｉｂｏｌｕｍｅｎｓｃｅｎｔ  ｍａｔｅｒｉａｌｓ）、電場発光物質、電気着色材料、磁気クロム材料および粒子、放射性物質、放射化可能材料（ｒａｄｉｏａｃｔｉｖａｔａｂｌｅ  ｍａｔｅｒｉａｌｓ）、エレクトレット電荷分離材料、およびその組み合わせの前記群から選択された造影物質（ｃｏｎｔｒａｓｔｉｎｇ  ｓｕｂｓｔａｎｃｅ）が随意的に充填される、請求項５に記載の改竄表示セキュリティデバイス。
【請求項１３】
画像要素を含む前記少なくとも１つの層は、応力誘起成分を備え、
又は、
前記光学フィルム材料は、２つまたはそれ以上の合成画像を形成する２つまたはそれ以上の集光素子層を備え、前記母材から前記デバイスを分離させようとしたとき、前記デバイスは、低減された数の合成画像を生成し、
又は、
前記光学フィルム材料は、２つまたはそれ以上の画像要素層を備え、前記集光元素は、２つまたはそれ以上の合成画像を形成し、前記母材から前記デバイスを分離させようとしたとき、前記デバイスは、低減された数の合成画像を生成する、請求項５に記載の改竄表示セキュリティデバイス。
【請求項１４】
前記光学フィルム材料は、前記少なくとも１つの集光素子層と前記少なくとも１つの画像要素層の間に位置して接着された１つの光学スペーサまたはスペーサ層を備える、請求項５に記載の改竄表示セキュリティデバイス。
【請求項１５】
前記母材から前記デバイスを分離さようとしたとき、前記セキュリティデバイスの分離または離層は、前記光学フィルム材料の前記少なくとも１つの集光素子層と前記光学スペーサまたはスペーサ層の間で発生し、
又は、
前記母材から前記デバイスを分離させようとしたとき、前記セキュリティデバイスの分離または離層は、前記光学フィルム材料の前記光学スペーサまたはスペーサ層と前記少なくとも１つの画像要素層の間で発生し、
又は、
前記光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成される、請求項１４に記載の改竄表示セキュリティデバイス。
【請求項１６】
前記光学フィルム材料は、プライマ層および接着剤層により共に接着される２つの光学スペーサまたはスペーサ層を備え、前記２つの光学スペーサまたはスペーサ層は、前記少なくとも１つの集光素子層と前記少なくとも１つの画像要素層の間に位置して接着される、請求項５に記載の改竄表示セキュリティデバイス。
【請求項１７】
前記母材から前記デバイスを分離させようとしたとき、前記セキュリティデバイスの分離または離層は、前記光学フィルム材料の１つの光学スペーサまたはスペーサ層と前記プライマ層および接着剤層の間で発生し、
又は、
前記２つの光学スペーサまたはスペーサ層は、ポリカーボネート、ポリエステル、ポリエチレン、ポリエチレンナフタレート、ポリエチレンテレフタレート、ポリプロピレン、およびポリ塩化ビニリデンの前記群から選択された１つまたはそれ以上の本質的に透明または半透明のポリマを使用して形成され、
又は、
前記プライマ層および接着剤層は、ホットメルト接着剤、熱活性化性接着剤、感圧型接着剤、および高分子貼合せ用フィルムの前記群から選択された１つまたはそれ以上の粘着剤を使用して形成される、請求項１６に記載の改竄表示セキュリティデバイス。
【請求項１８】
前記プライマ層および接着剤層は、硬化アクリル樹脂材料、又は、硬化エポキシ樹脂材料を使用して形成される、請求項１７に記載の改竄表示セキュリティデバイス。
【請求項１９】
前記光学フィルム材料は、前記少なくとも１つの集光素子層および前記少なくとも１つの画像要素層の間に位置してそのうちの少なくとも１つに接着された１つまたはそれ以上の接合弱化層を更に備える、請求項５に記載の改竄表示セキュリティデバイス。
【請求項２０】
前記１つまたはそれ以上の接合弱化層は、均一な接合弱化層、又は、模様接合弱化層、又は、金属層である、請求項１９に記載の改竄表示セキュリティデバイス。
【請求項２１】
前記金属層は、蒸気蒸着金属層である、請求項２０に記載の改竄表示セキュリティデバイス。
【請求項２２】
前記１つまたはそれ以上の接合弱化層は、誘電被覆であり、
又は、
層内故障は、前記１つまたはそれ以上の接合弱化層内に発生するように設計され、
又は
層間故障は、前記１つまたはそれ以上の接合弱化層と近接層の間で発生するように設計される、請求項１９に記載の改竄表示セキュリティデバイス。
【請求項２３】
前記集光素子は、反射集光素子または集光反射体であり、前記セキュリティデバイスは、前記集光反射体上に位置する反射層を更に備え、
層間故障は、前記反射層と前記集光反射体の間で発生するように設計される、請求項５に記載の改竄表示セキュリティデバイス。
【請求項２４】
１つまたはそれ以上のシール層または被覆層を更に備える請求項５に記載の改竄表示セキュリティデバイス。
【請求項２５】
前記１つまたはそれ以上のシール層または被覆層は、前記少なくとも１つの集光素子層の反対側の前記光学フィルム材料の前記少なくとも１つの画像要素層に塗布され、前記１つまたはそれ以上のシール層または被覆層は、透明、半透明、薄色、色素性、不透明、金属質、磁気性または光学的に可変である部分を少なくとも有し、又は、前記１つまたはそれ以上のシール層または被覆層は、応力誘起成分を備える請求項２４に記載の改竄表示セキュリティデバイス。
【請求項２６】
前記少なくとも１つのシール層または被覆層は、アクリル、エポキシ、ポリエステル、アクリル化ポリエステル、ポリプロピレン、ウレタン、アクリル化ウレタン、およびその組み合わせの前記群から選択された放射線硬化性樹脂を使用して調製される、請求項２５に記載の改竄表示セキュリティデバイス。
【請求項２７】
１つまたはそれ以上のプライマ層または接着剤層は、前記光学フィルム材料の一部をなしておよび／または前記セキュリティデバイスの片側または両側に塗布される、請求項５に記載の改竄表示セキュリティデバイス。
【請求項２８】
前記１つまたはそれ以上のプライマ層または接着剤層は、ホットメルト接着剤、熱活性化性接着剤、感圧型接着剤、および高分子貼合せ用フィルムの前記グループから選択された材料を使用して調製される、請求項２７に記載の改竄表示セキュリティデバイス。
【請求項２９】
前記１つまたはそれ以上のプライマ層または接着剤層は、硬化アクリル樹脂材料、又は、
硬化エポキシ樹脂材料を使用して形成される、請求項２８に記載の改竄表示セキュリティデバイス。
【請求項３０】
前記光学フィルム材料の前記１つまたはそれ以上の画像要素層に塗布された１つまたはそれ以上の強化層（ｓｔｉｆｆｅｎｉｎｇ  ｌａｙｅｒｓ）を更に備える請求項５に記載の改竄表示セキュリティデバイス。
【請求項３１】
前記１つまたはそれ以上の強化層（ｓｔｉｆｆｅｎｉｎｇ  ｌａｙｅｒｓ）は、ポリエステルテトラアクリレート、ビスフェノールＡエポキシジアクリレート、ジプロピレングリコールジアクリレート、およびその組み合わせの前記グループから選択された多機能性アクリレート単量体またはオリゴマを使用して調製され、
層間故障は、前記光学スペーサまたはスペーサ層と前記少なくとも１つの画像要素層の間で発生するように設計される、請求項３０に記載の改竄表示セキュリティデバイス。
【請求項３２】
セキュリティストリップ、細い線、パッチ、インレーまたはオーバレイの前記形である請求項５に記載の改竄表示セキュリティデバイス。
【請求項３３】
前記母材は、通貨、紙幣、社債券、小切手、トラベラーズチェック、ＩＤカード、宝くじ券、パスポート、郵便切手、株券、文房具品目、ラベル、消費者物品、および消費者物品と共に使用される袋または包装の前記群から選択される、請求項５に記載の改竄表示セキュリティデバイス。
【請求項３４】
両面を有し、表面に取り付けられたか、または少なくとも部分的に埋設された請求項１又は請求項５に記載の少なくとも１つの改竄表示セキュリティデバイスを備えるシート材料。
【請求項３５】
請求項３４に記載の前記シート材料から作製された文書。
【請求項３６】
紙幣、パスポート、ＩＤカード、クレジットカード、およびラベルの前記群から選択される請求項３５に記載の文書。
【請求項３７】
分離させようとしたときに母材に接着または接合されたセキュリティデバイスに関する改竄を暴露または表示する方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、前記画像要素は、高分子基板内の空隙または凹部の前記形である微細構造又は媽隆起した区域または異形柱（ｓｈａｐｅｄ  ｐｏｓｔｓ）の形である微細構造であり、前記方法は、
前記母材から前記セキュリティデバイスを分離させようとしたときに、前記１つまたはそれ以上の層が分離または離層し、前記セキュリティデバイスを部分的または全体的に動作不可能し、その結果、改竄が発生した表示するように印加または誘起された応力に集中する前記光学フィルム材料内の１つまたはそれ以上の層の前記能力を増大させるステップを備える、方法。
【請求項３８】
母材に接着または接合されるセキュリティデバイスに、前記母材から前記デバイスを分離させようとしたときに分離または離層させる方法であって、前記セキュリティデバイスは、集光素子を含む少なくとも１つの層と、画像要素を含む少なくとも１つの層と、前記少なくとも１つの集光素子層と前記少なくとも１つの画像要素層との間に位置決めされた少なくとも１つの光学スペーサまたはスペーサ層とで構成される光学フィルム材料を備え、前記少なくとも１つの集光素子層は、前記少なくとも１つの画像要素層から実質的に均一な距離に配置され、前記集光素子は、少なくとも前記画像要素の一部の１つまたはそれ以上の合成画像を形成し、前記画像要素は、高分子基板内の空隙または凹部の前記形である微細構造又は隆起した区域または異形柱（ｓｈａｐｅｄ  ｐｏｓｔｓ）の形である微細構造であり、
前記方法は、
（ａ）前記セキュリティデバイスの残りの層または境界面に対して前記セキュリティデバイスの１つまたはそれ以上の層または境界面の前記剛性、接合強度または架橋結合密度を増減するステップと、
（ｂ）応力誘起成分を前記セキュリティデバイスの１つまたはそれ以上の層に組み込むステップと、
（ｃ）前記セキュリティデバイスの２つの層間の境界面にて接合弱化層を導入するステップとの１つまたはそれ以上を備える、方法。
【請求項３９】
前記セキュリティデバイスの１つまたはそれ以上の層の前記剛性および架橋結合密度は、（ａ）製造中に放射線への前記セキュリティデバイスまたは前記セキュリティデバイスの１つまたはそれ以上の層の露光を増大させるか、または、（ｂ）前記デバイスが母材上で所定の位置になると前記セキュリティデバイスまたは放射線への前記セキュリティデバイスの１つまたはそれ以上の層の露光を増大させることにより増大する、請求項３８に記載の方法。
【請求項４０】
応力誘起成分は、前記セキュリティデバイスの前記１つまたはそれ以上の層に組み込まれ、前記応力誘起成分は、硬化すると収縮するかまたはガスを放出する成分、特定の液体またはガスに晒されたときに膨張する成分、および、温度の変化で相変化または相分離する成分の前記群から選択される、請求項３８に記載の方法。
【請求項４１】
前記応力誘起成分は、硬化すると収縮するかまたはガスを放出する成分であり、
又は、
前記応力誘起成分は、特定の液体またはガスに晒されたときに膨張する成分であり、  又は、
前記応力誘起成分は、温度の変化で相変化または相分離する成分であり、
又は、
応力誘起成分は、前記少なくとも１つの画像要素層に組み込まれ、
又は、
前記セキュリティデバイスは、１つまたはそれ以上のシール層または被覆層を更に備え、応力誘起成分は、前記１つまたはそれ以上のシール層または被覆層に組み込まれる、請求項４０に記載の方法。
【請求項４２】
硬化すると収縮するかまたはガスを放出する前記成分は、膨張ポリウレタン発泡体である、請求項４１に記載の方法。
【請求項４３】
温度の変化で相変化または相分離する前記成分は、多結晶質または結晶質になるために相変化する非晶質ポリマである、請求項４２に記載の方法。
【国際調査報告】
2013501661.tif 000020
2013501661.tif 000021